(57)【要約】【課題】長い毛材を有するカツラであっても、コンパクトに収納することができる、カツラ収容体を提供する。【解決手段】本発明に係るカツラ収容体は、基部、及び当該基部から延びる複数の毛材を有するカツラと、カツラを保持する膨出部を有する基台と、カツラを基台に保持する保持手段と、カツラを、保持手段により基台に保持した状態で収容する収容ケースと、を備え、基台の膨出部は、天面部及び筒状の外周部を有し、外周部の軸方向の一端部が天面部の外周縁と連結されており、カツラは、基部が天面部に配置され、毛材が天面部から外周部に沿って配置されるとともに、外周部の軸方向の他端部からはみ出した毛材が当該外周部の他端部から径方向内方に延びるように、保持手段により、基台に保持される。【選択図】図１
2016017237.tif 000002
【特許請求の範囲】
【請求項１】
基部、及び当該基部から延びる複数の毛材を有するカツラと、
前記カツラを保持する膨出部を有する基台と、
前記カツラを前記基台に保持する保持手段と、
前記カツラを、前記保持手段により前記基台に保持した状態で収容する収容ケースと、
を備え、
前記基台の膨出部は、天面部及び筒状の外周部を有し、前記外周部の軸方向の一端部が前記天面部の外周縁と連結されており、
前記カツラは、前記基部が前記天面部に配置され、前記毛材が前記天面部から前記外周部に沿って配置されるとともに、前記外周部の軸方向の他端部からはみ出した前記毛材が当該外周部の他端部から径方向内方に延びるように、前記保持手段により、前記基台に保持される、カツラ収容体。
【請求項２】
前記膨出部は、前記天面部及び前記外周部により囲まれ、前記外周部の他端部側に開口を有する内部空間を有しており、
前記外周部の軸方向の他端部からはみ出した前記毛材は、当該外周部の他端部から径方向内方へ、前記外周部の内壁面と対向するように延びている、請求項１に記載のカツラ収容体。
【請求項３】
前記基台は、前記外周部の他端部から径方向外方へ延びるフランジ部を、さらに備えている、請求項１または２に記載のカツラ収容体。
【請求項４】
前記フランジ部の径方向外方の端部から、前記外周部の軸方向のいずれか一方に突出する中空のリブをさらに備えている、請求項３に記載のカツラ収容体。
【請求項５】
前記膨出部は、平面視円形状に形成されている、請求項１から４のいずれかに記載のカツラ収容体。
【発明の詳細な説明】
【技術分野】
【０００１】
本発明は、カツラが収容されたカツラ収容体に関する。
【背景技術】
【０００２】
従来より、カツラを収容するケースとして、種々のものが提案されている。例えば、特許文献１では、ドーム状のカツラ載置部を有するカツラ収容ケースが開示されており、カツラ載置部に沿ってカツラが配置されるようになっている。また、特許文献２，３にも同様の形態を有するカツラ収容ケースが開示されている。
【先行技術文献】
【特許文献】
【０００３】
【特許文献１】実公平５−１２２５６号公報
【特許文献２】実開平７−１５７２６号公報
【特許文献３】実用新案登録第３０５４４６８号公報
【発明の開示】
【発明が解決しようとする課題】
【０００４】
しかしながら、特許文献１のケースでは、収容するカツラは、カツラ載置部に配置される程度の毛材が短いカツラが対象となっており、カツラ載置部からはみ出すような毛材が長いカツラは想定されていない。一方、特許文献２，３の収容ケースでは、長い毛材のカツラも想定されているが、カツラ載置部から下方へはみ出した毛材は、そのまま垂れ下がった状態になっているため、ケースが大型化するという問題がある。したがって、持ち運びや店頭での陳列には適していない。
【０００５】
本発明は、上記問題を解決するためになされたものであり、長い毛材を有するカツラであっても、コンパクトに収納することができる、カツラ収容体を提供することを目的とする。
【課題を解決するための手段】
【０００６】
本発明に係るカツラ収容体は、基部、及び当該基部から延びる複数の毛材を有するカツラと、前記カツラを保持する膨出部を有する基台と、前記カツラを前記基台に保持する保持手段と、前記カツラを、前記保持手段により前記基台に保持された状態で収容する収容ケースと、を備え、前記基台の膨出部は、天面部及び筒状の外周部を有し、前記外周部の軸方向の一端部が前記天面部の外周縁と連結されており、前記カツラは、前記基部が前記天面部に配置され、前記毛材が前記天面部から前記外周部に沿って配置されるとともに、前記外周部の軸方向の他端部からはみ出した前記毛材が当該外周部の他端部から径方向内方に延びるように配置されるように、前記保持手段により、前記基台に保持される。
【０００７】
この構成によれば、カツラの毛材が、天面部から外周部に沿って配置されるとともに、外周部の軸方向の他端部からはみ出した毛材の先端部が当該外周部の他端部から径方向内方に延びるように配置される。そして、カツラは、この状態で基台に保持され、収容ケース内に収容される。そのため、毛材が長くてもコンパクトに収容することができる。特に、カツラが、基台の天面部から外周面部に沿い、そこから径方向内方に延びるように配置されるため、毛材が散らばることなく、カツラを、一体的にまとまった形状となるように保持することができる。そのため、型崩れを防止できるとともに、収容状態における美観を向上することもできる。
【０００８】
上記カツラ収容体において、前記膨出部は、前記天面部及び前記外周部により囲まれ、前記外周部の他端部側に開口を有する内部空間を有することができ、前記外周部の軸方向の他端部からはみ出した前記毛材は、当該外周部の他端部から径方向内方へ、前記外周部の内壁面に対向するように延ばすことができる。
【０００９】
このようにすると、前記外周部の軸方向の他端部からはみ出した前記毛材を、外周部の他端部から前記外周部の内壁面側に沿うように延ばすことができる。すなわち、膨出部の内部空間を毛材の収容空間として利用することができるため、毛材がさらに長くても確実に収容することができ、また、毛材が散らばらないため、型崩れも防止できる。
【００１０】
上記カツラ収容体において、前記基台は、前記外周部の他端部から径方向外方へ延びるフランジ部を、さらに備えることができる。
【００１１】
このようにすると、基台の外周部の他端部がフランジ部によって補強されるため、基台に外力が作用しても、基台が変形するのを防止することができる。特に、基台の膨出部が中空である場合には、フランジ部を設けると有利である。
【００１２】
上記カツラ収容体においては、前記フランジ部の径方向外方の端部から、前記外周部の軸方向のいずれか一方に突出する中空のリブをさらに備えることができる。
【００１３】
このようにすると、リブによってフランジ部が補強され、膨出部が外力により変形するのをさらに防止することができる。また、リブは外周部の軸方向のいずれかに突出しており、径方向外方には突出していない。そのため、外周部の軸方向の他端部からはみ出した毛材を外周部の他端部から径方向内方に延びるすように配置するとき、毛材に型がつくのを防止することができる。また、リブは中空であるため、外力を受けると、径方向内方に圧縮されるように変形する。そのため、毛材が外周部の他端部付近において外力を受けても、これを吸収するようなクッションとしても機能する。
【００１４】
前記膨出部は、種々の形態にすることができるが、例えば、平面視円形状に形成することができる。
【００１５】
上記カツラ収容体において、前記カツラは、前記基部に取り付けられ、頭部への着脱を行うための固定具をさらに備えることができ、前記膨出部の天面部には、前記固定具を着脱自在に固定するための、開口部を形成することができる。このように構成することで、カツラを基台に対してさらに強固に保持することができる。
【発明の効果】
【００１６】
本発明によれば、長い毛材を有するカツラであっても、コンパクトに収容することができる。
【図面の簡単な説明】
【００１７】
【図１】本発明に係るカツラ収容体の一実施形態に収容されるカツラの斜視図（ａ）、及び下面から見たカツラの底面図（ｂ）である。
【図２】本発明の一実施形態に係る基台の斜視図（ａ）及び縦断面図（ｂ）である。
【図３】本発明の一実施形態に係る保持用ネットの斜視図である。
【図４】本発明の一実施形態に係る収容ケースの斜視図である。
【図５】カツラを収容する過程を示す斜視図である。
【図６】カツラを収容する過程を示す断面図である。
【図７】カツラを収容した収容ケースを示す斜視図（ａ）及び断面図（ｂ）である。
【図８】カツラを収容する他の例過程を示す断面図である。
【発明を実施するための形態】
【００１８】
以下、本発明に係るカツラ収容体の一実施形態について、図面を参照しつつ説明する。本実施形態に係るカツラ収容体は、カツラ１と、これが配置される基台２とを備えており、カツラ１は保持用ネット３により基台２に保持される。そして、保持用ネット３により基台２に保持されたカツラ１は、この状態で収容ケース４に収容される。以下、これらの部材について、詳細に説明する。
【００１９】
＜１．カツラ＞
図１はカツラの斜視図（ａ）、下面から見たカツラの底面図（ｂ）である。同図に示すように、カツラ１は、円形状の基部１１と、この基部１１の上面に植え付け又は縫製等によって取り付けられた複数の毛材１２と、基部１１の下面に取り付けられた一対の固定具１３と、を備えている。毛材１２は、基部１１から放射状に延びるように植え付けられており、その中心部分が旋毛を構成している。
【００２０】
固定具１３は、公知のスナップ式のものであり、基部１１の前後に１つずつ設けられている。各固定具１３は、基部１１に固定される板状の支持部１３１と、この支持部１３１に取り付けられた複数のピンを有する可動部１３２とで構成されている。支持部１３１は、上方（基部１１の上面側）に凸の円弧状となる第１態様と、下方に凸の円弧状となる第２態様とを選択的に取り得るように変形可能に構成されている。そして、支持部１３１が第１態様であるとき、可動部１３２は、支持部１３１及び基部１１とほぼ平行に延びるように配置され、第２態様であるとき、可動部１３２は支持部１３１から離間し、斜め下方に突出した状態となる（図１（ｂ）の拡大図）。このカツラ１を頭部に装着する場合には、両固定具１３を第２態様とし、支持部１３１と可動部１３２との間に頭部の髪の毛を挿入する。この状態で、両固定具１３を第１態様とすれば、髪の毛が支持部１３１と可動部１３２との間に挟まれるため、カツラ１が頭部に固定される。
【００２１】
＜２．基台＞
図２は基台の斜視図（ａ）及び縦断面図（ｂ）である。同図に示すように、この基台２は、平面視円形のドーム状の膨出部２１と、この膨出部２１の外周縁に連結される環状のフランジ部２２と、このフランジ部２２の径方向外方の端部に連結される環状のリブ２３と、を備えており、これらは樹脂材料などで一体的に形成されている。
【００２２】
膨出部２１は、中空であり内部空間２０を有しており、上方にいくにしたがって若干径が小さくなるように形成された外周部２１１と、この外周部２１１の上端部を塞ぐように配置された円形状の平坦な天面部２１２と、を備えている。そして、外周部２１１の上端縁と、天面部２１２の外周縁とは、なめらかな曲線で連結されている。フランジ部２２は、膨出部２１の外周部２１１の下端縁から径方向外方へ突出するように平坦面状に形成されている。また、リブ２３は、内部空間を有する中空であり、断面が上方に凸の円弧状に形成されている。そして、リブ２３の径方向内方の端部が、フランジ部２２の外周縁と連結されている。
【００２３】
また、天面部２１２には、外周縁付近に、直径とほぼ平行な直線状の切り込み２１３が形成されており、この切り込み２１３に、カツラ１の固定具１３の可動部１３２が挿入可能となっている。
【００２４】
＜３．保持用ネット＞
図３は保持用ネットの斜視図である。同図に示すように、保持用ネット３は、開口３１を有する袋状に形成されており、開口３１に沿って弾性変形可能な紐材３２が配置されている。これにより、保持用ネット３の開口３１は、変形可能であり、内径を大きくすることができる。また、保持用ネット３は、伸縮性を有する繊維によって網状に形成されており、この網を通して外部から内部を視認可能となっている。なお、この保持用ネット３が、本発明の保持手段に相当する。
【００２５】
＜４．収容ケース＞
図４は収容ケースの斜視図である。同図に示すように、収容ケース４は、カツラ１、基台２、及び保持用ネット３を収容するものであり、直方体状に形成されている。より詳細には、この収容ケース４は、矩形状の上面４１、下面４２、前面４３、背面４４、及び一対の側面４５により形成された直方体であり、前面４３側に基台２の天面部２１２が対向し、背面４４側に基台２のフランジ部２２が対向するように、基台２が収容される。そのため、前面４３の上下方向及び左右方向の幅は、基台２の外径、つまりリブ２３の最外径よりも大きくなっている。そして、上面４１は蓋部材として機能し、開閉可能となっている。
【００２６】
＜５．カツラの収容方法＞
次に、上述したカツラ１を収容ケース４に収容する方法について、図５〜図７も参照しつつ説明する。まず、カツラ１の固定具１３のいずれか一方において、可動部１３２を支持部１３１から離間させ、可動部１３２を支持部１３１から突出させる。続いて、突出した可動部１３２を、基台２の天面部２１２に形成された切り込み２１３に挿入するとともに、カツラ１の基部１１の下面を天面部２１２上に配置する。これにより、カツラ１の基部１１が基台２に保持されるとともに、図５（ａ）に示すように、カツラ１の毛材１２は、基台２の天面部２１２から外周部２１１に沿って下方に垂れ下がった状態となる。このとき、毛材１２の先端は、基台２のリブ２３を越えて、下方に垂れ下がる。なお、固定具１３は、カツラ１を基台２に保持することから、固定具１３も本発明の保持手段に相当する。
【００２７】
続いて、図５（ｂ）に示すように、リブ２３を越えて下方に垂れ下がった毛材１２を、リブ２３を覆うように、基台２の膨出部２１の内側に折り込む。すなわち、毛材１２の先端部を、膨出部２１の内部空間２０に配置する。これに続いて、保持用ネット３を取り付ける。保持用ネット３は、基台２の天面部２１２側から取り付け、開口３１がリブ２３の内側、つまり膨出部２１の内部空間２０に配置されるようにする。図６に示すように、開口３１の紐材３２は、弾性力により、開口３１が小さくなるように変形するため、膨出部２１の下部開口の開口周縁部が塞がれる。これにより、折り込まれた毛材１２の先端が、膨出部２１の内部空間２０から下方に脱落するのを防止することができる。その結果、カツラ１の毛材１２は、基台２の膨出部２１の天面部２１２から外周部２１１に沿い、膨出部２１の内部空間２０に折り込まれた状態で保持される。
【００２８】
最後に、このように保持されたカツラ１を基台２及び保持用ネット３とともに、収容ケース４に収容する。このとき、図７に示すように、収容ケース４の上面４１の蓋部材を開き、カツラ１を保持する基台２の天面部２１２が、前面４３及び背面４４と平行になるように、収容ケース４に収容し、蓋部材を閉じる。
【００２９】
＜６．特徴＞
以上のように、本実施形態によれば、カツラ１の毛材１２が、天面部２１２から外周部２１１に沿って配置されるとともに、リブ２３から下方へはみ出した毛材１２の先端部がリブ２３で曲がり、ここから径方向内方に延びるように配置される。より詳細には、毛材１２は、膨出部２１の外周部２１１の内壁面と対向するように配置される。そして、カツラ１は、このように基台２に保持された状態で収容ケース４に収容される。そのため、毛材１２が長くてもコンパクトに収容することができる。特に、膨出部２１の内部空間２０を毛材１２の収容空間として利用することができるため、毛材１２がより長くても確実に収容することができる。また、毛材１２が散らばることなく、カツラ１を、一体的にまとまった形状となるように保持することができる。そのため、カツラ１の型崩れを防止できるとともに、例えば、収容ケース４が透明である場合には、外部からケース４の内部を視認したときの収容状態における美観を向上することができる。
【００３０】
また、上記基台２においては、膨出部２１が中空に形成されているが、外周部２１１の下端縁にフランジ部２２が形成されているため、外力による変形を抑制することができる。また、フランジ部２２の径方向外方には、リブ２３が形成されているため、リブ２３によってフランジ部２２が補強され、膨出部２１が外力により変形するのをさらに防止することができる。
【００３１】
さらに、リブ２３により次の効果も得ることができる。例えば、フランジ部２２だけを設けている場合には、下方にはみ出した毛材１２を径方向内方に折り曲げるときに、フランジ部２２の鋭利な端部によって毛材１２に型が付く可能性がある。これに対して、本実施形態では、リブ２３は上方に突出しており、径方向外方には突出していない。そのため、リブ２３によって毛材１２に型が付くのを防止することができる。また、リブ２３は中空であるため、外力を受けると、径方向内方に圧縮されるように変形する。そのため、毛材１２がリブ２３付近で外力を受けても、これを吸収するようなクッションとしても機能する。
【００３２】
＜７．変形例＞
以上、本発明の一実施形態について説明したが、本発明はこれに限定されるものではなく、その趣旨を逸脱しない限りにおいて種々の変更が可能である。
【００３３】
例えば、上記実施形態では、膨出部２１は天面部２１２が平坦に形成されているが、半球状であってもよく、カツラ１の基部１１が配置できればよい。また、膨出部２１は平面視円形以外でも、多角形状等であってもよい。
【００３４】
また、上記実施形態では、膨出部２１を下方が開口する中空にしているが、膨出部２１の下部開口が閉じ、底面部を形成してもよい。この場合、毛材１２は膨出部２１の内部空間２０に収容できないが、例えば、図８に示すように、底面部２４に沿って径方向内方に延びるように配置すればよい。
【００３５】
リブ２３、フランジ部２２は、必ずしも必要ではないが、膨出部２１の強度を維持したり、毛材１２に型が付くのを防止するには、これらを設けることが好ましい。なお、リブ２３は、下側に凸の形態であってもよい。
【００３６】
上記実施形態では、保持用ネット３及び固定具１３を保持手段として用い、カツラ１を基台２に保持しているが、保持手段としてはいずれか一方でもよく、また、保持手段は、これらに限定されない。例えば、粘着テープなど、種々の方法でカツラ１を基台２に保持することもできる。
【００３７】
また、収容ケース４の形態も特には限定されず、少なくともカツラ１が保持された基台２が収容できればよい。但し、カツラ１を基台２に保持できるように、基台２の天面部２１２側及びフランジ部２２側から基台２を挟むような面を有することが好ましい。
【００３８】
また、上記実施形態では、円形の基部１１に毛材１２を取り付け、放射状に延びるように構成しているが、カツラ１の形態はこれに限定されない。上述したカツラ１は、旋毛が再現されているため、主として頭頂部に装着されるものであるが、例えば、前頭部、後頭部などに取り付けるような形態でもよい。この場合、カツラ１は、例えば、基部１１から放射状ではなく、概ね一方向に延びるように植え付けられるが、このようなものであっても、長い毛材１２であれば、本発明の収容体を適用することができる。
【００３９】
さらに、基部１１の形態も特には限定されず、円形以外であっても、例えば楕円形、三角形、星形、または中心に位置する円形部材から複数の扇形部材が外方側に向かって放射状に延びるように構成されていても良い。上記の星形や複数の扇形部材を有する形状の場合、星形の先端部分や扇形部材は独立して変形することができるため、それぞれ基台２の天面部２１２及び外周部２１１に沿って配置することができる。よって、平面視において基部が基台２の天面部２１２より大きな場合であっても、カツラ１を容易に且つコンパクトに基台２に保持させることができる。
【符号の説明】
【００４０】
１        ：カツラ
２        ：基台
３        ：保持用ネット（保持手段）
４        ：収容ケース
１１      ：基部
１２      ：毛材
１３      ：固定具
２０      ：内部空間
２１      ：基台
２１      ：膨出部
２２      ：フランジ部
２３      ：リブ
２１１    ：外周部
２１２    ：天面部
２１３    ：切り込み（開口部）
【図１】
2016017237.tif 000003
【図２】
2016017237.tif 000004
【図３】
2016017237.tif 000005
【図４】
2016017237.tif 000006
【図５】
2016017237.tif 000007
【図６】
2016017237.tif 000008
【図７】
2016017237.tif 000009
【図８】
2016017237.tif 000010